(57)【要約】【課題】テレビとテレビに接続された多くの種類の周辺機器を操作できるリモコンならびにリモコンシステムを提供する。【解決手段】リモコン１は、信号送信部２からテレビ７に対してテレビ７に接続されている接続機器情報を要求し、テレビ７は接続機器情報をリモコン１に送信する。リモコン１は接続機器情報を信号受信部３で受け取り、液晶画面４に接続機器のリストを表示する。液晶画面４は圧力センサが設けられており、利用者が接続機器のリストから接続機器を一つもしくは複数選択し押下すると、液晶画面４に選択した接続機器を操作する操作画面が１つもしくは複数現れ、接続機器の操作が可能となる。また、同時にリモコン１の信号送信部２からテレビ７に対してテレビ７の画面に映し出す入力映像を選択された接続機器の映像に切り替える信号を送信する。【選択図】図１
2009284040.tif 000002
【特許請求の範囲】
【請求項１】
被制御親装置を制御するための信号を送信する第１の信号送信部と、被制御親装置からの信号を受信する第１の信号受信部と、各機器の各種操作を行うための操作ボタンを表示しかつ利用者からの操作を受け付ける操作インターフェイス部と、前記操作インターフェイス部に対して制御する制御部を備えたリモコンと、
接続されている機器を検索する検索部と、前記リモコンに対して信号を受信するための第２の信号送信部、および、送信するための第２の信号送信部を備えた被制御親装置において、
前記リモコンは前記第１の信号送信部より被制御親装置に対して接続されている接続機器の検索要求信号を送信し、前記被制御親装置は前記第２の信号受信部で前記接続機器の検索要求を受け取った後、前記検索部により接続機器を検索し、前記第２の信号送信部で接続機器の一覧情報を前記リモコンに送信し、前記制御部は前記第１の信号受信部で受け取った接続機器の一覧を前記操作インターフェイス部に表示させ、利用者が前記接続機器の一覧から選択した後、前記操作インターフェイス部に操作ボタンを表示させ、利用者からの操作に基づき各機器を制御することを特徴とするリモコンシステム。
【請求項２】
前記被制御親装置は、前記接続機器の一覧情報を格納する記憶部を有し、予め前記検索部で検索された接続機器の一覧情報を前記記憶部に格納し、前記記憶部に格納された接続機器の一覧情報を前記第２の信号送信部を通して前記リモコンに送信することを特徴とする請求項１に記載のリモコンシステム。
【請求項３】
前記制御部は、利用者が前記操作インターフェイス部で前記接続機器の一覧から接続機器を選択すると、前記操作インターフェイス部に操作ボタンを表示させると同時に第１の信号送信部から前記被制御親装置に対して前記被制御親装置の画面に映し出す入力映像を選択した接続機器の映像に切り替える信号を送信させることを特徴とする請求項１ないしは２に記載のリモコンシステム。
【請求項４】
前記制御部は、利用者が前記操作インターフェイス部で前記接続機器の一覧から接続機器を複数選択すると、前記操作インターフェイス部に前記操作インターフェイス部に選択された複数の接続機器の操作ボタンを全てもしくは１部表示させると同時に第１の信号送信部から被制御親装置に対して２画面あるいは複数画面にし、それぞれの画面の入力映像を選択した接続機器の映像に切り替える信号を送信させることを特徴とする請求項１ないしは２に記載のリモコンシステム。
【請求項５】
前記制御部は、利用者が選択した前記接続機器によっては、第１の信号送信部から被制御親装置に対して被制御親装置の入力映像を選択した接続機器の映像に切り替える信号を送信させないことを特徴とする請求項３ないしは４に記載のリモコンシステム。
【請求項６】
前記制御部は、利用者が選択した接続機器の操作ボタンを表示させた後、利用者が押下した操作ボタンの種類によって、第１の信号送信部から被制御親装置に対して被制御親装置の画面に映し出す入力映像を選択した接続機器の映像に切り替える信号を送信することを特徴とする請求項１ないしは２に記載のリモコンシステム。
【発明の詳細な説明】
【技術分野】
【０００１】
本発明は、複雑化するテレビとそれに接続されたAV機器の制御を行うリモコンならびにリモコンシステムに関するものである。
【背景技術】
【０００２】
複数の機器を操作するリモコンとしては、たとえば下記特許文献１に開示されているリ
モコンが知られている。特許文献１に開示されたリモコンは、操作すべき機器を検索する検索信号を送信し各機器からの回答信号を受信する検索手段と、各機器の各種操作を行うためのボタンを表示する表示手段と、表示手段に表示させる情報を制御する制御手段を備えている。そして、検索手段によって検索された機器を操作するためのボタンを制御手段が表示手段に表示させ、１台のリモコンで複数の機器を操作することが可能となる。
【０００３】
しかしながら、操作すべき機器全てにおいて、リモコンからの検索信号に対して回答し、回答信号をリモコンが受信できるように送信する回答手段を設けなければならない。また、操作すべき機器に対して直接検索信号を送信し、回答信号を受信しなければならない。また、操作すべき機器がテレビに接続されているDVDレコーダなどのAV機器である場合、
接続機器を選択した後、テレビへの入力信号をDVDレコーダからの入力信号に設定したい場合は、さらにリモコン等で入力切り替え信号を送信する必要がある。
【特許文献１】特開２００４−３０４３５６号公報
【発明の開示】
【発明が解決しようとする課題】
【０００４】
本発明は、リモコンならびにリモコンシステムの改良を目的とし、さらに詳しくは前記不都合を解消し、テレビとテレビに接続されたAV機器の操作をリモコン１台でかつ効率的に行わせんとするものである。
【課題を解決するための手段】
【０００５】
この課題を解決するために、本発明のリモコンシステムでは、リモコンは被制御親装置
を制御するための信号を送信する第１の信号送信部と、前記被制御親装置からの信号を受
信する第１の信号受信部と、各機器の各種操作を行うための操作ボタンを表示しかつ利用
者からの操作を受け付ける操作インターフェイス部と、前記操作インターフェイス部に対
して制御する制御部とを備え、被制御親装置は接続されている機器を検索する検索部と、
リモコンに対して信号を受信するための第２の信号送信部および送信するための第２の信
号送信部を備え、前記リモコンは前記第１の信号送信部より被制御親装置に対して接続さ
れている接続機器の検索要求信号を送信し、前記被制御親装置は前記第２の信号受信部で
前記接続機器の検索要求を受け取った後、前記検索部により接続機器を検索し、前記第２
の信号送信部で接続機器の一覧情報を前記リモコンに送信し、前記制御部は前記第１の
信号受信部で受け取った接続機器の一覧を前記操作インターフェイス部に表示させ、利用
者が前記接続機器の一覧から選択した後、前記操作インターフェイス部に操作ボタンを表
示させ、利用者からの操作に基づき各機器を制御することを特徴とする。
【発明の効果】
【０００６】
本発明のリモコンシステムによれば、リモコンは操作したい機器の情報を前記被制御親
装置から受け取るため、接続機器から直接、機器情報を受け取る必要はない。したがって、
前記被制御親装置にのみリモコンを向け、検索要求信号を送信すればよい。
【０００７】
また、被制御親装置に前記記憶手段を設け、予め接続機器の情報を格納しておくことで検索要求信号を受信すると接続機器を検索することなく即座に接続機器の情報をリモコンに送信することができる。
【０００８】
また、利用者が接続機器の一覧から接続機器を選択すると、前記操作インターフェイス部に選択した接続機器の操作ボタンが表示されると同時に被制御親装置の画面に映し出す入力映像を選択した接続機器の映像に切り替えることによって、被制御装置に対して入力映像を切り替えるという利用者の操作を１ステップ削減することができる。
【０００９】
また、利用者が接続機器の一覧から接続機器を複数選択すると、前記操作インターフェイス部に選択した複数の接続機器の操作ボタンがそれぞれ表示されると同時に被制御親装置の画面を２画面もしくは複数画面にし、それぞれの画面の入力映像を選択した接続機器の映像に切り替えることによって、利用者の操作を数ステップ削減することができる。
【００１０】
また、利用者が選択した接続機器の操作ボタンを表示させた後、利用者が押下した操作ボタンの種類によって、被制御親装置の画面に映し出す入力映像を選択した接続機器の映像に切り替えることで、たとえば操作したい接続機器がDVDレコーダ場合、再生を行いたい場合は被制御親装置の入力信号をDVDレコーダに切り替えるが、録画予約だけを行いたい場合は、被制御親装置の入力信号をDVDレコーダに切り替えず、現在視聴中の映像の邪魔をされることなく前記操作インターフェイスのみで録画予約操作することができる。
【発明を実施するための最良の形態】
【００１１】
（第１の実施の形態）
以下本発明の実施の形態について、図１〜図7を使用して詳細に説明する。本実施携帯
のリモコンシステムは、図１に示すようにリモコン１、テレビ７、テレビ７に接続された
DVDレコーダ１０、CATVなどのセットトップボックス１１、オーディオ機器１２、ゲー
ム機器１３等、テレビ７に接続された複数のAV機器を操作するものである。なお、ここに
示すテレビに接続される機器は一例であって、それ以外の機器を接続することも可能であ
る。
【００１２】
リモコン１は、図１に示すように各機器に対して信号の送信を行う赤外線送信部２と受信を行う赤外線受信部３と、液晶画面４と、接続機器リスト要求ボタン５と、チャンネルボタンや音量切り替えボタンなどのテレビ７を操作するボタン６を備えている。また、図２に示すように、液晶画面４などを制御する制御部１４を備えている。
【００１３】
液晶画面４には圧力センサが表面に設けられており、液晶画面４に表示された操作ボタンを利用者が押下することにより機器を操作できるようになっている。また、接続機器リスト要求ボタン５が押されると赤外線送信部２から接続機器の検索要求信号が送信されるようになっている。
【００１４】
テレビ７には図３に示すように、リモコンからのデータを受信する赤外線受信部８とリモコンにデータを送信する赤外線送信部９と接続されているAV機器とのインターフェイス部１８と各種データを記憶するメモリ１６と各種映像を表示させるディスプレイ部１７を備えている。
【００１５】
次にリモコン１の操作方法について図４を用いて説明する。利用者はまずリモコン１をテレビに向け接続機器リスト要求ボタン５を押す（S1）。すると制御部１４の制御によって赤外線送信部２から接続機器の検索要求信号が送信される（S2）。テレビはこの検索要求信号を受信し（S3）、メモリに接続機器リストが記憶されているか否かを判断する（S4）。メモリに接続機器リストが記憶されている場合は、赤外線送信部９からその接続機器リストが送信され（S6）、記憶されていない場合は、接続機器の検索を行い接続機器リストを作成し（S5）、同様に赤外線送信部９から送信される（S6）。
【００１６】
リモコン１が赤外線受信部３でテレビからの接続機器リストを受信すると（S7）、液晶画面４に図５に示すような接続機器リストが表示され（S８）、利用者が接続機器リストの中からDVDレコーダを選択すると図６のように液晶場面４にDVDレコーダの操作画面が表示され、DVDレコーダの操作が可能となる（S10,S11）。またDVDレコーダの操作画面が表示されると同時に、テレビ画面に映し出す入力映像をDVDレコーダからの映像に切り替える信号を赤外線送信部２からテレビに送信する（S12）。
【００１７】
また、接続機器リスト表示し（S８）、利用者がDVDレコーダとCATVなどのSTBを選択すると（S10でNo）、図７のようにDVDレコーダとCATVの操作画面がそれぞれ表示され、それぞれの操作が可能となる。また同時にテレビの画面を２画面にし、１画面目をDVDレコーダからの映像に、２画面目をCATVからの映像に切り替える信号を赤外線送信部２からテレビに送信する（S1４）。
【００１８】
また、利用者が接続機器リストに戻りたいときは、液晶画面４上の戻りボタン（図示せず）を押すことにより接続機器リストの表示に戻ることができるようになっている（S15）。
【００１９】
以上のように、本実施形態のリモコンシステムによれば、１台でテレビとテレビに接続された多くの種類の周辺機器を操作することができる。
【００２０】
なお、本実施形態のリモコンシステムについては、ここに記載した形態に限定されることはない。リモコン１にはテレビを操作するボタン６はなく、テレビを操作するボタンもすべて液晶画面４に表示し、そこで操作してもよい。その場合、接続機器リストにはテレビも加えておくとよい。
【００２１】
また、テレビにメモリ１６が備えられていない場合は、図4においてS4のステップはなく、リモコンから検索要求信号を受信すると、接続機器を検索し、接続機器リストをリモコンに送信するというステップを踏むことにより実行することも可能となる。
【００２２】
また、接続機器リストから接続機器を選択する際（S9）に、DVDレコーダだけ選択した場合でも、液晶画面４をDVDレコーダの操作画面にすると同時に、S12においてテレビ画面の入力映像をテレビ本体からの映像とDVDレコーダからの映像の2画面にする信号を赤外線送信部２から送信してもよい。
【００２３】
また、接続機器リストから接続機器を選択する際（S9）に、利用者がN種類選択した場合は、S13においてテレビの画面をN種類表示させる、もしくは、利用者の指示もしくは予め設定された優先順位などにより、M種類（N>M）表示させる信号を赤外線送信部２から送信してもよい。
【００２４】
また、接続機器リストから接続機器を選択する際（S9）に、例えばオーディオなどの映像を出力することができない機器を選択した場合は、S12においてテレビの入力映像を切り替える信号を送らなくてもよい。
【００２５】
また、接続機器リストから接続機器を選択する際（S9）に、DVDレコーダを選択しても、S12においてテレビの入力映像を切り替える信号を送信せず、液晶画面４に表示されたある操作のボタン（例えば、再生など）を操作した時に初めてテレビの入力切替信号をDVDレコーダに切り替える信号を赤外線送信部２から送信してもよい。これにより、例えばDVDレコーダで予約だけを行いたい場合は、テレビ画面にDVDレコーダの映像を表示させず、今現在視聴中の画面を邪魔されずリモコンのみで予約操作が可能になる。
【００２６】
なお、実際にリモコン１で機器を操作する方法としては、液晶画面４から押されたボタンの操作命令をテレビを通して各接続機器に送信し、実行させてもよいし、リモコン１から赤外線送信部２を通して各機器の受信方式にあわせて送信するなどの方法が考えられる。
また、液晶画面４で操作画面を表示させる方法としては、各機器の操作内容、制御方法がリモコン1に記録されていなければ、ある通信媒体を通して操作内容および制御方法を入手するなどの方法が考えられる。
【００２７】
以上述べた本発明はここに記載した実施の形態に限定されることなく、発明の要旨内で各種の変形、変更の可能なことは自明である。
【産業上の利用可能性】
【００２８】
本発明は、複雑化するテレビとそれに接続されたAV機器の制御を行うリモコンならびにリモコンシステムに利用できる。
【図面の簡単な説明】
【００２９】
【図１】本発明のシステムの構成を示す図
【図２】本発明のリモコンの構成を示す図
【図３】本発明のテレビの構成を示す図
【図４】本発明のシステムの処理を示すフローチャート
【図５】本発明のリモコンの表示内容の一例を示す図
【図６】本発明のリモコンの表示内容の一例を示す図
【図７】本発明のリモコンの表示内容の一例を示す図
【符号の説明】
【００３０】
１    リモコン
２    赤外線送信部
３    赤外線受信部
４    液晶画面
５    接続機器リスト要求ボタン
６    ボタン
７    テレビ
８    赤外線受信部
９    赤外線送信部
１０    DVDレコーダ
１１    STB
１２    オーディオ
１３    ゲーム機器
【図１】
2009284040.tif 000003
【図２】
2009284040.tif 000004
【図３】
2009284040.tif 000005
【図４】
2009284040.tif 000006
【図５】
2009284040.tif 000007
【図６】
2009284040.tif 000008
【図７】
2009284040.tif 000009